(57)【要約】【課題】加熱室外に放出される高周波発生装置からの漏波のノイズがあっても、制御装置が誤動作しない高周波加熱装置を提供すること。【解決手段】サーミスタ素子５を収納する保護管１０と、交流増幅器６を収納する筐体１１を備え、前記保護管１０は金属製であると共に、前記筐体１１は導電性材料であり、かつ前記保護管１０と前記筐体１１が密着して構成することにより、サーミスタ素子５と交流増幅器６を、高周波発生装置７から加熱室１外に放出される漏波のノイズから遮蔽することが出来、交流増幅器６で増幅された信号であれば、漏波のノイズの影響をほとんど受けないので、制御装置９の誤動作をなくすことができる。【選択図】図２
2006145127.tif 000002
【特許請求の範囲】
【請求項１】
被加熱物を収納する加熱室と、加熱室に高周波電波を放射する高周波発生装置と、被加熱物から発生する蒸気を検出するサーミスタ素子と、サーミスタ素子を収納する保護管と、サーミスタ素子からの信号の交流成分を増幅する交流増幅器と、交流増幅器を収納する筐体を備え、前記保護管は金属製であると共に、前記筐体は導電性材料であり、かつ前記保護管と前記筐体が密着して構成されることを特徴とした高周波加熱装置。
【請求項２】
被加熱物を収納する加熱室と、加熱室に高周波電波を放射する高周波発生装置と、被加熱物から発生する蒸気を検出するサーミスタ素子と、サーミスタ素子を収納する保護管と、サーミスタ素子からの信号の交流成分を増幅する交流増幅器と、交流増幅器を収納する筐体と、サーミスタ素子と交流増幅器を接続するケーブルとを備え、前記保護管は金属製であると共に、前記筐体は導電性材料であり、かつ前記ケーブルのシースがフェライト配合材料であることを特徴とした高周波加熱装置。
【請求項３】
前記筐体が炭素繊維配合樹脂であることを特徴とした請求項１または２に記載の高周波加熱装置。
【発明の詳細な説明】
【技術分野】
【０００１】
本発明はサーミスタ素子を用いて、被加熱物からの蒸気を検出し、高周波発生装置を制御する高周波加熱装置に関するものである。
【背景技術】
【０００２】
従来、この種の高周波加熱装置はサーミスタセンサ素子からの信号の交流成分を交流増幅器で増幅し、その信号情報により、高周波発生装置を制御している（例えば、特許文献１参照）。
【０００３】
図７は、特許文献１に記載された従来の高周波加熱装置を示すものである。図７に示すように、加熱室１内に置かれた被加熱物２から発生した蒸気３を加熱室外に導く通気口４と、蒸気を検出するためのサーミスタ素子５と、サーミスタ素子５からの信号の交流成分を増幅する交流増幅器６と、増幅された信号情報により、高周波発生装置７を駆動する駆動装置８を制御する制御装置９から構成されている。
【特許文献１】特開平９−２３６２６３号公報
【発明の開示】
【発明が解決しようとする課題】
【０００４】
しかしながら、前記従来の構成では、被加熱物から蒸気が発生し、サーミスタ素子が蒸気に触れた時の、サーミスタ素子から発生する交流成分の信号は、数ｍＶ程度の微弱なものなので、交流増幅器は大きな増幅をする必要があり、数Ｖ程度にするため、通常５００から７００倍の増幅を行っている。従って、増幅前の信号は極めてノイズに弱い。高周波発生装置から放射された電波は加熱室内だけにとどまらず、加熱室を構成するためのカシメ部やスポット部あるいは、サーミスタ素子に蒸気を導くための通気口などから、漏波として、加熱室外に放出されるのが常である。この漏波がノイズとしてサーミスタ素子の信号にのると、例え数ｍＶのノイズでも、交流増幅器で増幅され、数Ｖの大きなレベルの信号となり、サーミスタ素子からの信号がないにもかかわらず、制御装置に信号が入力され、制御装置が誤動作するという課題を有していた。
【０００５】
本発明は、前記従来の課題を解決するもので、加熱室外に放出される高周波発生装置からの漏波のノイズがあっても、制御装置が誤動作しない高周波加熱装置を提供することを目的とする。
【課題を解決するための手段】
【０００６】
前記従来の課題を解決するために、本発明の高周波加熱装置は、サーミスタ素子を収納する保護管と、交流増幅器を収納する筐体を備え、前記保護管は金属製であると共に、前記筐体は導電性材料であり、かつ前記保護管と前記筐体が密着して構成されるようにしたものである。
【０００７】
これによって、サーミスタ素子と交流増幅器を、高周波発生装置から加熱室外に放出される漏波のノイズから遮蔽することが出来、交流増幅器で増幅された信号であれば、漏波のノイズの影響をほとんど受けないので、制御装置の誤動作をなくすことができる。
【０００８】
また、本発明の高周波加熱装置は、サーミスタ素子を収納する保護管と、交流増幅器を収納する筐体と、サーミスタ素子と交流増幅器を接続するケーブルとを備え、前記保護管は金属製であると共に、前記筐体は導電性材料であり、かつ前記ケーブルのシースをフェライト配合材料で構成するようにしたものである。
【０００９】
これによって、サーミスタ素子と交流増幅器を、高周波発生装置から加熱室外に放出される漏波のノイズから遮蔽することが出来、交流増幅器で増幅された信号であれば、漏波のノイズの影響をほとんど受けないので、制御装置の誤動作をなくすことができる。
【発明の効果】
【００１０】
本発明の高周波加熱装置は、高周波発生装置から加熱室外に放出される漏波のノイズがあっても、制御装置が誤動作をしなくすることができる。
【発明を実施するための最良の形態】
【００１１】
第１の発明は、被加熱物を収納する加熱室と、加熱室に高周波電波を放射する高周波発生装置と、被加熱物から発生する蒸気を検出するサーミスタ素子と、サーミスタ素子を収納する保護管と、サーミスタ素子の交流成分を増幅する交流増幅器と、交流増幅器を収納する筐体を備え、前記保護管は金属製であると共に、前記筐体は導電性材料であり、かつ前記保護管と前記筐体が密着して構成することにより、サーミスタ素子と交流増幅器を、高周波発生装置から加熱室外に放出される漏波のノイズから遮蔽することが出来、交流増幅器で増幅された信号であれば、漏波のノイズの影響をほとんど受けないので、制御装置の誤動作をなくすことができる。
【００１２】
第２の発明は、被加熱物を収納する加熱室と、加熱室に高周波電波を放射する高周波発生装置と、被加熱物から発生する蒸気を検出するサーミスタ素子と、サーミスタ素子を収納する保護管と、サーミスタ素子の交流成分を増幅する交流増幅器と、交流増幅器を収納する筐体と、サーミスタ素子と交流増幅器を接続するケーブルとを備え、前記保護管は金属製であると共に、前記筐体は導電性材料であり、かつ前記ケーブルのシースをフェライト配合材料で構成することにより、第１の発明と同様な効果を得ることができる。
【００１３】
第３の発明は、特に、第１または第２の発明の筐体を炭素繊維配合樹脂にすることにより、第１の発明と同様な効果を得ることができる。
【００１４】
以下、本発明の実施の形態について、図面を参照しながら説明する。なお、この実施の形態によって本発明が限定されるものではない。
【００１５】
（実施の形態１）
図１は、本発明の第１の実施の形態における高周波加熱装置の構成図を示すものである。
【００１６】
図１において、加熱室１内に置かれた被加熱物２から発生した蒸気３を加熱室外に導く通気口４と、金属製の保護管１０内に収納された蒸気を検出するためのサーミスタ素子５と、金属製の筐体１１内に収納され、サーミスタ素子５からの信号の交流成分を増幅する交流増幅器６と、交流増幅器６により増幅された信号情報により、加熱室１に高周波電波を放射する高周波発生装置７を駆動する駆動装置８を制御する制御装置９から構成されている。
【００１７】
サーミスタ素子５と、保護管１０と、交流増幅器６と、筐体１１に関する詳細な構成に関しては、図２及び図３で説明する。
【００１８】
サーミスタ素子５は金属製の保護管１０の先端部分に収納されている。そして、保護管１０は保護管１０のフランジ部１０ａに開いた穴を通して、２本のネジ１２で、金属製の筐体本体１１ａとフランジ部１０ａが密着するように固定されている。交流増幅器６は金属製の筐体１１内に収納され、サーミスタ素子５及び制御装置９と交流増幅器６を接続するケーブル１３に接続されている。また筐体１１は２本のネジ１４で、筐体本体１１ａと金属製の筐体蓋１１ｂが密着するように固定されている。
【００１９】
以上のように構成された高周波加熱装置について、以下その動作、作用を説明する。
【００２０】
まず、金属製の保護管１０のフランジ部１０ａと金属製の筐体本体１１ａは密着するように２本のネジ１２で固定され、かつ筐体１１を構成する筐体本体１１ａと筐体蓋１１ｂも密着するように２本のネジ１４で固定されているので、保護管１０と筐体１１で構成されたシールドボックスは、高周波発生装置７から加熱室１外に放出される漏波のノイズから遮蔽されるのは明確である。そして、その中にサーミスタ素子５と交流増幅器６を収納しているので、漏波のノイズの影響を受けるのは、交流増幅器６で増幅した以降である。
制御装置９に、例えば数十ｍＶの漏波のノイズが侵入しても、制御装置９が本来のサーミスタ素子５からの信号を判定する規定電圧は数Ｖ（例えば２Ｖ）なので、サーミスタ素子５の信号か、漏波によるノイズかを判定することが出来、制御装置９の誤動作はなくなる。
【００２１】
なお、前記実施の形態では、筐体１１を金属で構成したが、炭素繊維が配合された樹脂で構成すれば、図示は省略するが、樹脂の方が形状に自由度があるので、前記実施例で、使用したビスなどを、樹脂で一体成型した爪などで置き換えることが可能である。効果も同様な効果が得られる。
【００２２】
（実施の形態２）
図４は、本発明の第２の実施の形態における高周波加熱装置の構成図を示すものである。
【００２３】
図４において、加熱室１内に置かれた被加熱物２から発生した蒸気３を加熱室外に導く通気口４と、金属製の保護管１０内に収納された蒸気を検出するためのサーミスタ素子５と、金属製の筐体１１内に収納され、サーミスタ素子５からの信号の交流成分を増幅する交流増幅器６と、サーミスタ素子５と交流増幅器６を接続するフェライト配合のシースでできたケーブル１５と、交流増幅器６により増幅された信号情報により、加熱室１に高周波電波を放射する高周波発生装置７を駆動する駆動装置８を制御する制御装置９から構成されている。
【００２４】
サーミスタ素子５と、保護管１０と、ケーブル１５と、交流増幅器６と、筐体１１に関する詳細な構成に関しては、図５及び図６で説明する。
【００２５】
サーミスタ素子５は金属製の保護管１０の先端部分に収納されている。そして、交流増幅器６は金属製の筐体１１内に収納され、サーミスタ素子５とフェライト配合のシースでできたケーブル１５で接続され、制御装置９とはケーブル１３で接続されている。また筐体１１は２本のネジ１４で、筐体本体１１ａと金属製の筐体蓋１１ｂが密着するように構成されている。
【００２６】
以上のように構成された高周波加熱装置について、以下その動作、作用を説明する。
【００２７】
まず、サーミスタ素子５は金属製の保護管１０に収納され、筐体１１を構成する筐体本体１１ａと筐体蓋１１ｂは密着するように２本のネジ１４で固定されており、サーミスタ素子５と交流増幅器６を接続するケーブル１５のシースはフェライト配合材料を使用している。なお、フェライトが高周波加熱調理器で使用する２．４５ＧＨｚなどの高周波電波を吸収する特性は良く知られている。従って、サーミスタ素子５は金属製の保護管１０で、交流増幅器６は金属製の筐体１１で、それらを接続するケーブル１５はフェライト配合シースで、高周波発生装置７から加熱室１外に放出される漏波のノイズから遮蔽されるのは明確である。作用に関しては、本発明の第１の実施の形態と同様であるので、省略する。
【００２８】
以上のように、本実施の形態においては、サーミスタ素子を収納する保護管と、交流増幅器を収納する筐体と、サーミスタ素子と交流増幅器を接続するケーブルとを備え、前記保護管は金属製であると共に、前記筐体は導電性材料であり、かつ前記ケーブルのシースをフェライト配合材料で構成することにより、サーミスタ素子と交流増幅器を、高周波発生装置から加熱室外に放出される漏波のノイズから遮蔽することが出来、交流増幅器で増幅された信号であれば、漏波のノイズの影響をほとんど受けないので、制御装置の誤動作をなくすことができる。
【００２９】
また、本実施の形態では、サーミスタ素子と交流増幅器が長さに自由度のあるケーブルで接続されているので、温度などの制約があっても、交流増幅器を自由に配置出来るという利点がある。
【産業上の利用可能性】
【００３０】
以上のように、本発明にかかる高周波加熱装置は、漏波によるノイズの影響を受けても、制御装置の誤動作をなくす事が可能となるので、サーミスタ素子以外のセンサを使用した高周波加熱装置等の用途にも適用できる。
【図面の簡単な説明】
【００３１】
【図１】本発明の実施の形態１における高周波加熱装置の構成図
【図２】本発明の実施の形態１におけるサーミスタ素子と交流増幅器周辺の構成図
【図３】本発明の実施の形態１における筐体周辺斜視図
【図４】本発明の実施の形態２における高周波加熱装置の構成図
【図５】本発明の実施の形態２におけるサーミスタ素子と交流増幅器周辺の構成図
【図６】本発明の実施の形態２における筐体周辺斜視図
【図７】従来の高周波加熱装置の構成図
【符号の説明】
【００３２】
１  加熱室
５  サーミスタ素子
６  交流増幅器
７  高周波発生装置
１０  保護管  
１１  筐体
１５  ケーブル
【図１】
2006145127.tif 000003
【図２】
2006145127.tif 000004
【図３】
2006145127.tif 000005
【図４】
2006145127.tif 000006
【図５】
2006145127.tif 000007
【図６】
2006145127.tif 000008
【図７】
2006145127.tif 000009